(57)【要約】【課題】    縦横に収容枡目を区画形成するべく格子状に組み立てる際には一方の端辺側に形成された導入口を通して係合割り溝同士を差し込み係合するだけで簡単に組み立てることができ、一旦格子状に組み立てられた後には各仕切り材が不用意に分離するようなことがない組仕切り材を提供すること。【解決手段】  仕切り材本体１の長手方向に沿って所定の間隔ごとに、一方の端辺側１ａには、導入口１から連続し且つ屈折させて仕切り材本体１の幅方向に延びる係合割り溝３を形成すると共に上記導入口２と係合割り溝３との間に仕切り材本体１の幅方向に伸びる係止短片４を突設させて係合段部５を形成せしめ、他方の端辺側１ｂには係合割り溝３と相対する位置に係合凹溝７を形成してなり、縦方向に配置される仕切り材本体（１Ａ）の係合割り溝３と横方向に配置される仕切り材本体（１Ｂ）の係合割り溝３とを双方の導入口２を通して相互に係合させることにより一方の係合凹溝７と他方の係止段部５とを相互に係合させるように構成した。【選択図】図１
0003123085.tif 000002
【実用新案登録請求の範囲】
【請求項１】
縦および横方向に所定の間隔ごとに格子状に組み立てて収容枡目を区画形成するための組仕切り材であって、仕切り材本体が所要の長さを有する帯状に形成され、その長手方向に沿って所定の間隔ごとに、一方の端辺側には、導入口から連続し且つ屈折させて仕切り材本体の幅方向に延びる係合割り溝を形成すると共に上記導入口と係合割り溝との間に仕切り材本体の幅方向に伸びる係止短片を突設させて係合段部を形成せしめ、他方の端辺側には前記係合割り溝と相対する位置に係合凹溝を形成してなり、
縦方向に配置される仕切り材本体の係合割り溝と横方向に配置される仕切り材本体の係合割り溝とを双方の導入口を通して相互に係合させることにより一方の係合凹溝と他方の係止段部とが相互に係合されることを特徴とする組仕切り材。
【考案の詳細な説明】
【技術分野】
【０００１】  本考案は、部品等をダンボール箱などに収納する際に部品等を整然と配列するべく、縦および横方向に所定の間隔をおいて格子状に組み立てて矩形状の収容枡目を区画形成するための組仕切り材に関するものである。
【背景技術】
【０００２】  通常の組仕切り材では、長手方向に沿って一方の端辺側に所定の間隔ごとに仕切り材の幅方向に切り割りを形成し、縦方向に配置される仕切り材と横方向に配置される仕切り材の切り割り同士を相互に差し込み係合さるだけであったため、格子状に組み立てられた各仕切り材が不用意に分離して、格子状に区画形成された収容枡目が壊れてしまうことがあった。
なお、本願出願人が知っている上記の先行技術は文献公知考案に係るものではないため、本願明細書には先行技術文献情報を開示しない。
【考案の開示】
【考案が解決しようとする課題】
【０００３】  本考案はこのような従来の不具合に鑑みてなされたものであり、縦横に収容枡目を区画形成するべく格子状に組み立てる際には一方の端辺側に形成された導入口を通して係合割り溝同士を差し込み係合するだけで簡単に組み立てることができ、一旦格子状に組み立てられた後には各仕切り材が不用意に分離するようなことがない組仕切り材を提供せんとするものである。
【課題を解決するための手段】
【０００４】  斯かる目的を達成する本考案の組仕切り材は、縦および横方向に所定の間隔ごとに格子状に組み立てて収容枡目を区画形成するための組仕切り材であって、仕切り材本体が所要の長さを有する帯状に形成され、その長手方向に沿って所定の間隔ごとに、一方の端辺側には、導入口から連続し且つ屈折させて仕切り材本体の幅方向に延びる係合割り溝を形成すると共に上記導入口と係合割り溝との間に仕切り材本体の幅方向に伸びる係止短片を突設させて係合段部を形成せしめ、他方の端辺側には前記係合割り溝と相対する位置に係合凹溝を形成してなり、縦方向に配置される仕切り材本体の係合割り溝と横方向に配置される仕切り材本体の係合割り溝とを双方の導入口を通して相互に係合させることにより一方の係合凹溝と他方の係止段部とが相互に係合されることを特徴としたものである。
【考案の効果】
【０００５】  本考案に係る組仕切り材によれば、長手方向に沿って所定の間隔ごとに一方の端辺側には、導入口から連続し且つ屈折させて仕切り材本体の幅方向に延びる係合割り溝を形成すると共に上記導入口と係合割り溝との間に仕切り材本体の幅方向に伸びる係止短片を突設させて係合段部を形成せしめ、他方の端辺側には係合割り溝と相対する位置に係合凹溝を形成してなるので、縦方向に配置される仕切り材本体の係合割り溝と横方向に配置される仕切り材本体の係合割り溝とを双方の導入口を通して相互に差し込み係合させると、同時に、一方の係合凹溝と他方の係止段部とが相互に係合する。その結果、縦方向に配置された仕切り材本体と横方向に配置された仕切り材本体を互いに上下方向に引っ張って分離しようとしても、双方の係合凹溝から係止段部が抜けない限り分離することがなくなる。
従って、縦方向に配置される仕切り材本体と横方向に配置される仕切り材本体とを相互に簡単に係合させて格子状に組み立てることが出来るだけでなく、一旦格子状に組み立てられた後には各仕切り材が不用意に分離するような虞がなくなる。
【考案を実施するための最良の形態】
【０００６】  以下、本考案の具体的な好適実施例を、図面を参照しながら詳細に説明するが、本考案は図示した実施例のものに限定されるものではなく、その要旨を越えない範囲において自由に変更可能である。【０００７】  仕切り材本体１は、プラスチック材や紙材等を用いて、所要の長さと幅を有する帯状に形成され、その長手方向に沿って所定の間隔ごとに、一方の端辺側１ａには導入口２から連続させて係合割り溝３を形成せしめ、他方の端辺側１ｂには係合割り溝３と相対する位置に係合凹溝７を形成してなる。【０００８】  係合割り溝３は、仕切り材本体１の一方の端辺側１ａに開口した導入口２から連続させて仕切り材本体１の幅方向に形成されるが、導入口２とは上向き傾斜状に屈折した誘導路６を通して連通されている。
また、導入口２と係合割り溝３との間には、係合割り溝３と並行するように仕切り材本体の幅方向に伸びる係止短片４を突設させることにより係合段部５が形成されている。【０００９】  そして、仕切り材本体１の他方の端辺側１ｂには、上記係合割り溝３と仕切り材本体１の幅方向に沿って一直線上に相対する位置に係合凹溝７が形成される。
係合凹溝７は、仕切り材本体１の他方の端辺側１ｂに略凹字形状に開口形成される。従って、仕切り材本体１の一方の端辺側１ａに導入口２から連続させて形成される係合割り溝３および係合段部５と、仕切り材本体１の他方の端辺側１ｂに形成される係合凹溝７の開口方向とが、仕切り材本体１の幅方向に沿って一直線上に配置形成されることになる。
また、係合凹溝７の深さは、上記係合段部５内に係合するように設定される。【００１０】  なお、仕切り材本体１の長さは部品等を収納するダンボール箱の大きさに応じて設定され、仕切り材本体１の長手方向に形成される係合割り溝３や係合凹溝７の間隔（ピッチ）は、格子状に区画形成しようとする収容枡目の数（縦×横の数）に応じて設定され、そして、仕切り材本体１の幅は区画形成された収容枡目内に収納しようとする部品等の大きさに応じて設定される。
また、縦方向に配置される仕切り材本体１と横方向に配置される仕切り材本体１とで、それぞれ長手方向に形成される係合割り溝３や係合凹溝７の間隔（ピッチ）が異なる仕切り材本体１を適宜組み合わせて収容枡目を区画形成することは自由である。【００１１】  而して、縦方向に配置される仕切り材本体と横方向に配置される仕切り材本体とを組み立てて格子状に収容枡を区画形成する場合には、図２に例示した如く、縦方向に配置される仕切り材本体（１Ａ）と横方向に配置される仕切り材本体（１Ｂ）の導入口２同士を相互に差し込み、導入口２から傾斜状に屈折した誘導路６を通して係合割り溝３同士を相互に係合させる。
そうすると、縦方向に配置される仕切り材本体（１Ａ）と横方向に配置される仕切り材本体（１Ｂ）の双方の係合凹溝７と係止段部５とが相互に係合する。これで、双方の係合凹溝７から係止段部５が抜けない限り、縦方向に配置される仕切り材本体（１Ａ）と横方向に配置される仕切り材本体（１Ｂ）とが分離することがないように組み立てられる。
【図面の簡単な説明】
【００１２】
【図１】  本考案実施の一例を示す組仕切り材の正面図。
【図２】  複数枚の組仕切り材を組み立てて格子状に収容枡を区画形成する状態を説明する斜視図。
【符号の説明】
【００１３】    １：仕切り材本体
１Ａ：縦方向に配置される仕切り材本体
１Ｂ：横方向に配置される仕切り材本体
１ａ：仕切り材本体の一方の端辺側
１ｂ：仕切り材本体の他方の端辺側
２：導入口
３：係合割り溝
４：係止短片
５：係止段部
６：誘導路
７：係合凹溝
【図１】
0003123085.tif 000003
【図２】
0003123085.tif 000004